(57)【特許請求の範囲】
【請求項１】
フォーカスレンズ、ズームレンズ、及びリレーレンズがテレビレンズのレンズ鏡胴内に被写体側から順に光軸に沿って配置されるとともに、前記リレーレンズの一部のレンズであってリレーレンズの中で被写体側の微調整レンズが光軸に沿って前後移動自在に支持されたテレビカメラであって、
前記レンズ鏡胴の側部にモータ支持部材を介して取り付けられた微調整レンズ用モータと、
前記微調整レンズ用モータの出力軸に取り付けられ、その周面にカム面が形成された回転円盤と、
前記回転円盤の前記カム面に一端が当接されると共に他端が前記微調整レンズのレンズ枠体に固定された固定部材と、
前記微調整レンズのレンズ枠体と前記レンズ鏡胴との間に配置され、前記レンズ枠体に付勢力を与えて前記固定部材の一端を前記回転円盤のカム面に押圧当接させる付勢部材とを有し、
前記微調整レンズ用モータで前記回転円盤を回転させて、前記固定部材を回転円盤のカム面に沿って前後移動させることにより、前記微調整レンズを前後移動させてピント位置を検出し、
前記レンズ鏡胴の側部には、フォーカスリング駆動用モータ、ズームリング駆動用モータ、及びアイリスリング駆動用モータが収納されたドライブユニットが設けられ、該ドライブユニット内に、前記微調整レンズ用モータ、前記回転円盤、及び前記固定部材が収納されていることを特徴とするテレビカメラの微調整レンズ駆動装置。
【請求項２】
前記微調整レンズ用モータは、ダンパ部材を介して前記モータ支持部材に取り付けられていることを特徴とする請求項１記載のテレビカメラの微調整レンズ駆動装置。
【発明の詳細な説明】
【０００１】
【発明の属する技術分野】
本発明は、テレビカメラの微調整レンズ駆動装置に係り、特にＥＮＧカメラ用テレビレンズの微調整レンズ駆動装置に関する。
【０００２】
【従来の技術】
本願出願人は特願平７−２３７１８４号において、テレビカメラの微調整レンズ駆動装置を提案している。この微調整レンズ駆動装置は、微調整レンズ用モータをレンズ鏡胴の側部に設けると共に、このモータの出力軸に駆動プーリを取り付け、この駆動プーリと微調整レンズのレンズ枠体に固定された従動プーリとをベルトを介して連結している。また、前記レンズ枠体は、レンズ鏡胴の固定部材にネジで螺合連結され、このネジのバックラッシュをバネの付勢力で除去している。更に、前記微調整レンズ駆動装置は、複数のテンションローラで前記ベルトに一定の張力を与える構造となっている。
【０００３】
従って、前記微調整レンズ駆動装置は、モータでベルトを駆動すると微調整レンズがネジの作用によって前後移動しピント位置を検出する。
【０００４】
【発明が解決しようとする課題】
しかしながら、前記微調整レンズ駆動装置は、ベルト駆動で微調整レンズを移動させる構造のためベルト、２個のプーリ、複数のテンションローラが必要になり部品点数が多くなるという欠点がある。
また、前記微調整レンズ駆動装置は、雰囲気温度の変化でベルトが伸縮してしまうので、例えば伸びた場合には駆動力が微調整レンズに伝達し難くなり、収縮した場合にはテンションが過大になってモータの負荷が増大するという欠点がある。
【０００５】
本発明は、このような事情に鑑みてなされたもので、部品点数が少なく、且つ、雰囲気温度に影響されることなく微調整レンズを円滑に前後移動させることができるテレビカメラの微調整レンズ駆動装置を提供することを目的とする。
【０００６】
【課題を解決するための手段】
本発明は、前記目的を達成するために、フォーカスレンズ、ズームレンズ、及びリレーレンズがテレビレンズのレンズ鏡胴内に被写体側から順に光軸に沿って配置されるとともに、前記リレーレンズの一部のレンズであってリレーレンズの中で被写体側の微調整レンズが光軸に沿って前後移動自在に支持されたテレビカメラであって、前記レンズ鏡胴の側部にモータ支持部材を介して取り付けられた微調整レンズ用モータと、前記微調整レンズ用モータの出力軸に取り付けられ、その周面にカム面が形成された回転円盤と、前記回転円盤の前記カム面に一端が当接されると共に他端が前記微調整レンズのレンズ枠体に固定された固定部材と、前記微調整レンズのレンズ枠体と前記レンズ鏡胴との間に配置され、前記レンズ枠体に付勢力を与えて前記固定部材の一端を前記回転円盤のカム面に押圧当接させる付勢部材とを有し、前記微調整レンズ用モータで前記回転円盤を回転させて、前記固定部材を回転円盤のカム面に沿って前後移動させることにより、前記微調整レンズを前後移動させてピント位置を検出し、前記レンズ鏡胴の側部には、フォーカスリング駆動用モータ、ズームリング駆動用モータ、及びアイリスリング駆動用モータが収納されたドライブユニットが設けられ、該ドライブユニット内に、前記微調整レンズ用モータ、前記回転円盤、及び前記固定部材が収納されていることを特徴としている。
【０００７】
請求項１記載の発明によれば、微調整レンズ用モータで回転円盤を回転させると、固定部材は付勢部材の付勢力で回転円盤のカム面に押圧当接されているので、回転円盤のカム面に沿って前後移動し、そして、この固定部材に連結された微調整レンズが前後移動する。従って、本発明は、微調整レンズ駆動装置の部品点数を少なくでき、且つ、雰囲気温度に影響されることなく微調整レンズを円滑に前後移動させることができる。
【０００８】
請求項２記載の発明は、微調整レンズ用モータをダンパ部材を介してモータ支持部材に取り付けて、モータからの振動をダンパ部材で緩衝させるようにしたので、モータ振動による騒音を低減することができる。
請求項３記載の発明は、レンズ鏡胴に支持された微調整レンズ用モータ、回転円盤、及び固定部材をドライブユニット内に収納したものである。このドライブユニットの外装ケースはグリップとして兼用され、予め大きめに形成されているので、このドライブユニットに収納すると、既存のドライブユニットのサイズ、形状を変えることなく使用することができる。
【０００９】
【発明の実施の形態】
以下添付図面に従って本発明に係るテレビカメラの微調整レンズ駆動装置の好ましい実施の形態を詳述する。
図１では本発明が適用されるＥＮＧカメラ用テレビレンズが示され、このテレビレンズのレンズ鏡胴１０にはフォーカスリング１４、ズームリング１６、アイリスリング１８が設けられており、更にレンズ鏡胴１０の後端部にはエクステンダ装置２０が設けられる。レンズ鏡胴１０の側部にはフォーカスリング１４、ズームリング１６、アイリスリング１８を駆動するドライブユニット２２が設けられている。
【００１０】
レンズ鏡胴１０内には固定フォーカスレンズ２４、移動フォーカスレンズ２６、ズームレンズ２８、３０、微調整レンズ３２、固定リレーレンズ３４、エクステンダー３６、リレーレンズ３８が順に配置されている。フォーカス調整はフォーカスリング１４を回動することにより移動フォーカスレンズ２６を移動して粗調整し、リレーレンズの一部である微調整レンズ３２を高速に移動（振動）させてピントのピーク値を検出してピント位置を正確に検出する。ズーム調整はズームリング１６を回動することによりズームレンズ２８、３０を移動してズーム調整がなされ、アイリス調整はアイリスリング１８を回動することによりアイリス４０の絞り径が調整されるようになっている。
【００１１】
ドライブユニット２２はケース４２を有し、このケース４２は図示しないビスを介してレンズ鏡胴１０の側部に固着される。ケース４２には、図示しないフォーカスリング駆動用モータが配置され、このフォーカスリング駆動用モータは、図示しないギア伝達機構を介してギア４４を回転し、ギア４４と噛み合っているフォーカスリング１４を回動する。
【００１２】
更に、ケース４２には、図示しないズームリング駆動用モータが配置され、このズームリング駆動用モータは、図示しないギア伝達機構を介してギア４６を回転し、ギア４６と噛み合っているズームリング１６を回動する。
同様に、ケース４２には、図示しないアイリスリング駆動用モータが配置され、このアイリスリング駆動用モータは、図示しないギア伝達機構を介してギア４８を回転し、ギア４８と噛み合っているアイリスリング１８を回動する。
【００１３】
図２、図３に示すように微調整レンズ用モータ５０は、モータ５０のジャケット５２が２本のネジ５４、５４によってモータ支持板５６に取り付けられる。また、モータ支持板５６は、ダンパーであるゴム製の筒体５８、５８…を介してブラケット６２に取り付けられると共に、該筒体５８、５８…に介在されたネジ６０、６０…によってブラケット６２に固定されている。このブラケット６２は図３に示すように２本のネジ６４、６４によってレンズ鏡胴１０の側部に固定され、これにより、前記モータ５０がレンズ鏡胴１０の側部に配置される。また、モータ５０はその出力軸６６がＥＮＧカメラの光軸Ｐと平行になるように配置される。前記出力軸６６は図２に示すように、前記モータ支持板５６とブラケット６２とに各々形成された開口部５６Ａ、６２Ａに貫通配置され、その先端部に回転円盤６８が固着されている。
【００１４】
回転円盤６８は図４に示すように、出力軸６６に対して傾斜したカム面７０が図中右側の周面に形成される。このカム面７０には図２に示すように固定部材７２の上端部７２Ａが当接される。固定部材７２はレンズ鏡胴１０を貫通して配置されると共に、図示しないガイド部材によって光軸Ｐに対し前後移動自在にガイドされる。また、固定部材７２は、その下端部に形成された雄ネジ７２Ｂが、微調整レンズ３２のレンズ枠体７４に形成された雌ネジ７４Ａに螺合連結されている。
【００１５】
ところで、前記レンズ枠体７４の図２中下部には筒部７６が形成される。この筒部７６は、光軸Ｐと平行に形成されると共にレンズ鏡胴１０内に固定された凹形状のフレーム７８内に配置される。また、前記筒部７６は、軸受８０を介してガイドバー８２に支持される。このガイドバー８２は、光軸Ｐと平行に配置されると共にその両端が前記フレーム７８に固定支持されている。これにより、前記微調整レンズ３２は、ガイドバー８２に沿って光軸Ｐ方向に前後移動自在となっている。
【００１６】
一方、前記筒部７６の右側にはコイルスプリング８４が配置され、筒部７６はコイルスプリング８４の付勢力によってフレーム７８内に安定して支持されている。前記コイルスプリング８４は、筒部７６の図中右端部とフレーム７８との間に配置され、その付勢力で筒部７６を即ち微調整レンズ３２を前方に向けて付勢するものである。そして、この付勢力はレンズ枠体７４を介して固定部材７２に伝達されるので、固定部材７２の上端部７２Ａは回転円盤６８のカム面７０に常に押圧当接された状態となっている。従って、回転円盤６８が回転駆動されると、固定部材７２は回転円盤６８のカム面７０に沿って前後移動され、そして、この固定部材７２に連結された微調整レンズ３２が前後移動される。
【００１７】
次に、前記の如く構成された本実施の形態に係るテレビカメラの微調整レンズ駆動装置の作用について説明する。
フォーカス調整において、ドライブユニット２２側の図示しないフォーカス用モータによってギア４４が回転され、これによってフォーカスリング１４が回動され、移動フォーカスレンズ２６が前後移動し、ピント合わせの粗調整がなされる。次に、微調整用のモータ５０で回転円盤６８を回転させると、そのカム面７０に押圧当接された固定部材７２が前後移動するので、レンズ枠体７４が即ち微調整レンズ３２がガイドバー８２に沿って光軸Ｐ方向に高速に前後移動し、ピントのピーク値方向を判別・検出してピント位置を正確に検出する。
【００１８】
このように、本実施の形態では、回転円盤６８で固定部材７２を移動させて微調整レンズ３２を前後移動させるだけの構造なので、ベルト駆動型の従来の装置と比較して、装置の部品点数を少なくでき、且つ、雰囲気温度に影響されることなく微調整レンズを円滑に前後移動させることができる。
また、本実施の形態では、微調整レンズ用モータ５０をダンパーである筒体５８を介してブラケット６２に取り付けたので、モータ５０からの振動を筒体５８で緩衝させることができる。従って、本実施の形態では、モータ振動による騒音を低減することができると共に、モータ振動がレンズ鏡胴１０に伝達しないのでレンズ鏡胴１０に悪影響を与えるのを防止できる。
【００１９】
本実施の形態では、回転円盤６８のカムは片側カム面７０なので、固定部材７２と回転円盤６８との取付位置精度が緩和され、よって、前記ダンパーを介在させることができる。
また、前記片側カム面７０に代えて回転円盤６８の周縁部にカム溝を形成し、このカム溝に固定部材７２の上端部７２Ａを係合させても良い。
【００２０】
更に、本実施の形態によれば、モータ５０をブラケット６２を介してレンズ鏡胴１０に取り付け、このモータ５０をドライブユニット２２のケース４２内に収容している。このドライブユニット２２のケース４２はグリップとして兼用されるため予め大きめに形成されている。よって、このケース４２に前記の如くモータ５０等を収納すると、既存のドライブユニットのサイズ、形状を変えることなく使用できるので、互換性を持たせることができる。
【００２１】
本実施の形態では、微調整レンズとしてフォーカス調整用レンズ３２を適用したが、収差補正用レンズ等の微調整レンズにも適用することができる。
【００２２】
【発明の効果】
本発明に係るテレビカメラの微調整レンズ駆動装置によれば、微調整レンズ用モータで回転円盤を回転させて、固定部材を回転円盤のカム面に沿って前後移動させることにより、この固定部材に連結された微調整レンズを前後移動させる構造としたので、部品点数が少なくなり、且つ、雰囲気温度に影響されることなく微調整レンズを円滑に前後移動させることができる。
【図面の簡単な説明】
【図１】本発明に係る実施の形態を示す半断面図
【図２】図１に示した微調整レンズ駆動装置の要部を示す拡大断面図
【図３】本発明に係る実施の形態の側断面図
【図４】回転円盤の実施例を示す斜視図
【符号の説明】
１０…レンズ鏡胴
２２…ドライブユニット
３２…微調整レンズ
５０…微調整レンズ用モータ
５８…筒体（ダンパー）
６８…回転円盤
７０…カム面
７２…固定部材
７４…微調整レンズのレンズ枠体
７６…筒部
８２…ガイドバー
８４、８６…コイルスプリング
【図１】
0003840687.tif 000002
【図２】
0003840687.tif 000003
【図３】
0003840687.tif 000004
【図４】
0003840687.tif 000005